(57)【要約】      （修正有）【課題】記録装置の内壁にフレキシブルフラットケーブル（ＦＦＣ）を容易に保持させることが可能であるとともに、保持後のＦＦＣが外れる虞が少ないケーブル保持手段を備える記録装置を提供する。また、ケーブル保持手段によってＦＦＣが傷つく虞を低減する。【解決手段】下部ハウジングの内壁にＦＦＣ２４を保持するケーブル保持手段２５は、内壁において鉛直方向と交差する方向に間隔を開けて複数設けられ、ＦＦＣ２４を保持する、ＦＦＣ２４の延伸方向と交差する方向に延びるスリット部２６と、複数のスリット部２６の内、少なくとも２つのスリット部２６の間に設けられ、保持されるＦＦＣ２４の一部を内壁の壁面から離間させる凸部２７と、上部ハウジングに設けられ、スリット部２６に保持されるＦＦＣ２４の上方への移動を規制する規制部２８とを備える。【選択図】図９
2017154400.tif 000002
【特許請求の範囲】
【請求項１】
搬送される媒体に液体を吐出して記録を行う記録ヘッドを有する装置本体と、  前記装置本体を収容可能な下部ハウジングと、  前記下部ハウジングの上部に設けられる上部ハウジングと、  前記下部ハウジングの内壁に対し、鉛直方向と交差する方向に延伸した状態で保持されるフレキシブルフラットケーブルと、  前記フレキシブルフラットケーブルを前記下部ハウジングの内壁に保持するケーブル保持手段と、を備え、
前記ケーブル保持手段は、前記下部ハウジングの内壁において鉛直方向と交差する方向に間隔を開けて複数設けられ、前記フレキシブルフラットケーブルを保持する、前記フレキシブルフラットケーブルの延伸方向と交差する方向に延びるスリット部と、
複数の前記スリット部の内、少なくとも２つのスリット部の間に設けられ、保持される前記フレキシブルフラットケーブルの一部を前記内壁の壁面から離間させる凸部と、
前記上部ハウジングに設けられ、前記スリット部に保持される前記フレキシブルフラットケーブルの上方への移動を規制する規制部と、
を備えることを特徴とする記録装置。
【請求項２】
請求項１に記載の記録装置において、前記スリット部及び前記凸部が、前記下部ハウジングに一体に形成されている、
ことを特徴とする記録装置。
【請求項３】
請求項１または請求項２に記載の記録装置において、
前記装置本体が、前記記録ヘッドを媒体搬送方向と交差する方向に往復移動可能に保持するキャリッジを備え、
前記フレキシブルフラットケーブルが前記キャリッジに接続され、前記キャリッジの移動動作に伴って前記ケーブル保持手段と前記キャリッジとの間で変形可能に設けられている、
ことを特徴とする記録装置。
【請求項４】
請求項３に記載の記録装置において、
複数の前記スリット部が、スリット深さが浅い第１のスリット部と、前記第１のスリット部よりもスリット深さが深い第２のスリット部と、を備えて構成されている、
ことを特徴とする記録装置。
【請求項５】
請求項４に記載の記録装置において、
複数の前記スリット部のうち、前記フレキシブルフラットケーブルの変形の起点を構成するスリット部が、前記第２のスリット部で構成されている、
ことを特徴とする記録装置。
【請求項６】
請求項３から請求項５のいずれか一項に記載の記録装置において、
前記キャリッジが、前記記録ヘッドに前記液体を供給する液体カートリッジを搭載可能に構成され、
前記上部ハウジングが、前記キャリッジから前記液体カートリッジを外す際の手掛け用の凹部を備え、
前記手掛け用の凹部の少なくとも一部と、前記ケーブル保持手段の少なくとも一部とが、前記媒体搬送方向でオーバーラップする、
ことを特徴とする記録装置。
【請求項７】
請求項１から請求項６のいずれか一項に記載の記録装置において、前記スリット部が、前記下部ハウジングの内壁から突出する第１の立壁部と、前記第１の立壁部との間で前記フレキシブルフラットケーブルを挟む第２の立壁部と、を備えている、
ことを特徴とする記録装置。
【発明の詳細な説明】
【技術分野】
【０００１】
本発明は、被記録媒体に記録を行う記録装置に関する。
【背景技術】
【０００２】
記録装置の一例であるインクジェットプリンターでは、記録ヘッドとプリンターの制御部とがフレキシブルフラットケーブルで接続される場合がある。  
前記フレキシブルフラットケーブル（以下、ＦＦＣと称する場合がある）は、例えば記録装置の基体を構成するフレーム等に沿って配線される。
【０００３】
特許文献１には、搬送される媒体の幅方向に往復移動する記録ヘッドの移動方向に沿って設けられるメインフレーム４に、一端側が前記記録ヘッドに接続されたＦＦＣの固定部が設けられている。特許文献１において、ＦＦＣの支持装置（保持手段）がメインフレーム４の一部を折り曲げて形成されている（特許文献１の図７を参照）。
【０００４】
また、特許文献２には、搬送される媒体の幅方向に往復移動する記録ヘッドと、制御部としての基板とを接続するケーブル（ＦＦＣ）を、装置本体を構成するフレームの一部を折り曲げた折り曲げ部７４（特許文献２の図８を参照）により保持する保持手段が開示されている。
【先行技術文献】
【特許文献】
【０００５】
【特許文献１】特開２００６−８２３８１号公報
【特許文献２】特開２０１５−１２３６７８号公報
【発明の概要】
【発明が解決しようとする課題】
【０００６】
ここで、特許文献１の図７に示すように、一つのフレームにおいてＦＦＣの上部と下部の両方を押さえる構成とすると、前記保持手段からは抜け難くなるものの、当該保持手段への取り付けが困難になっていた。また、取り付け難い保持手段に無理に前記ＦＦＣを取り付けようとすると、ＦＦＣに傷が付く虞があった。  
特に、特許文献１及び特許文献２において、前記ＦＦＣの保持手段が設けられている装置本体を構成するフレームは、通常、板金等で形成されている場合が多い。板金を折り曲げて形成した前記保持手段では、ＦＦＣを保持手段に取り付けた際に板金端部が当たり、前記ＦＦＣに傷をつける虞がある。
【０００７】
そこで本発明はこの様な問題に鑑み成されたものであり、その目的は、記録装置の内部の壁にフレキシブルフラットケーブルを容易に保持させることが可能であるとともに、保持後の前記フレキシブルフラットケーブルが外れる虞が少ないケーブル保持手段を備える記録装置を提供することにある。また、前記記録装置の前記ケーブル保持手段によって、前記フレキシブルフラットケーブルが傷つく虞を低減または回避することにある。
【課題を解決するための手段】
【０００８】
上記課題を解決する為の、本発明の第１の態様に係る記録装置は、搬送される媒体に液体を吐出して記録を行う記録ヘッドを有する装置本体と、前記装置本体を収容可能な下部ハウジングと、前記下部ハウジングの上部に設けられる上部ハウジングと、前記下部ハウジングの内壁に対し、鉛直方向と交差する方向に延伸した状態で保持されるフレキシブルフラットケーブルと、前記フレキシブルフラットケーブルを前記下部ハウジングの内壁に保持するケーブル保持手段と、を備え、前記ケーブル保持手段は、前記下部ハウジングの内壁において鉛直方向と交差する方向に間隔を開けて複数設けられ、前記フレキシブルフラットケーブルを保持する、前記フレキシブルフラットケーブルの延伸方向と交差する方向に延びるスリット部と、複数の前記スリット部の内、少なくとも２つのスリット部の間に設けられ、保持される前記フレキシブルフラットケーブルの一部を前記内壁の壁面から離間させる凸部と、前記上部ハウジングに設けられ、前記スリット部に保持される前記フレキシブルフラットケーブルの上方への移動を規制する規制部と、を備えることを特徴とする。
【０００９】
本態様によれば、前記ケーブル保持手段が、前記下部ハウジングの内壁に対し、鉛直方向と交差する方向に延伸した状態で保持される前記フレキシブルフラットケーブル（以下、ＦＦＣと称する場合がある）を、前記下部ハウジングの内壁において鉛直方向と交差する方向に間隔を開けて複数設けられ、前記フレキシブルフラットケーブルの延伸方向と交差する方向に延びるスリット部によって保持し、前記下部ハウジングの上部に設けられる上部ハウジングに設けられる規制部によって前記スリット部に保持される前記ＦＦＣの上方への移動を規制するように構成されているので、前記ケーブル保持手段への前記ＦＦＣの容易な取り付けと、取り付け後のＦＦＣが前記ケーブル保持手段から外れ難くすることの両方を実現することができる。
【００１０】
また、前記複数のスリット部の内、少なくとも２つのスリット部の間に設けられる前記凸部によって、保持される前記フレキシブルフラットケーブルの一部を前記内壁の壁面から離間させることができるので、前記規制部が前記ＦＦＣの幅方向の端部により確実に当接する構成とすることができる。  
前記ケーブル保持手段は、前記ＦＦＣと接触したときに当該ＦＦＣを傷つけにくい材料（例えば、樹脂材料等）で形成することができ、ＦＦＣに傷がつく虞を低減することができる。
【００１１】
本発明の第２の態様に係る記録装置は、第１の態様において、前記スリット部及び前記凸部が、前記下部ハウジングに一体に形成されている、ことを特徴とする。
【００１２】
本態様によれば、例えば樹脂材料等による一体成型により、前記スリット部及び前記凸部を一体に設けた下部ハウジングを形成することができる。以って、前記記録装置における部品点数を減らし、コストを低減することができる。
【００１３】
本発明の第３の態様に係る記録装置は、第１の態様または第２の態様において、前記装置本体が、前記記録ヘッドを媒体搬送方向と交差する方向に往復移動可能に保持するキャリッジを備え、前記フレキシブルフラットケーブルが前記キャリッジに接続され、前記キャリッジの移動動作に伴って前記ケーブル保持手段と前記キャリッジとの間で変形可能に設けられている、ことを特徴とする。
【００１４】
本態様によれば、前記記録ヘッドを保持するとともに媒体搬送方向と交差する方向に往復移動するキャリッジに接続されるＦＦＣを、第１の態様または第２の態様の前記ケーブル保持手段によって保持することができる。
【００１５】
本発明の第４の態様に係る記録装置は、第３の態様において、複数の前記スリット部が、スリット深さが浅い第１のスリット部と、前記第１のスリット部よりもスリット深さが深い第２のスリット部と、を備えて構成されている、ことを特徴とする。
【００１６】
前記キャリッジに接続されるＦＦＣは、通常、前記キャリッジにおける接続部を介して前記記録ヘッドと接続され、該記録ヘッドと前記装置本体に設けられる基板との間で情報を送受信するように構成されている。前記ＦＦＣの幅は、前記記録ヘッドと前記基板の間で送受信される情報量に応じて増減し、前記情報量が増えると幅は広くなる。例えば、前記記録ヘッドに設けられるノズル数や、インクの色の種類の数等が増えると前記情報量は多くなる。  
本態様によれば、複数の前記スリット部が、スリット深さが浅い第１のスリット部と、前記第１のスリット部よりもスリット深さが深い第２のスリット部と、を備えて構成されているので、前記ＦＦＣの幅が、浅い第１のスリット部に対応する幅である場合と、深い第２のスリット部に対応する幅である場合の両方において、同一の下部ハウジングのケーブル保持手段によって前記ＦＦＣを保持することができる。このことにより、例えば、前記記録ヘッドの仕様の違いのため、用いられるＦＦＣの幅が異なる２種類の記録装置において、下部ハウジングを共通化することができる。以って、装置の製造コストを低減することができる。
【００１７】
本発明の第５の態様に係る記録装置は、第４の態様において、複数の前記スリット部のうち、前記フレキシブルフラットケーブルの変形の起点を構成するスリット部が、前記第２のスリット部で構成されている、ことを特徴とする。
【００１８】
本態様によれば、複数の前記スリット部のうち、前記フレキシブルフラットケーブルの変形の起点を構成するスリット部が、スリット深さの深い前記第２のスリット部で構成されているので、前記ケーブル保持手段に保持されるフレキシブルフラットケーブルの幅が、浅い第１のスリット部に対応する幅である場合と、深い第２のスリット部に対応する幅である場合の両方において、前記ＦＦＣの変形の起点を同じにすることができる。
【００１９】
本発明の第６の態様に係る記録装置は、第３の態様から第５の態様のいずれかにおいて、前記キャリッジが、前記記録ヘッドに前記液体を供給する液体カートリッジを搭載可能に構成され、前記上部ハウジングが、前記キャリッジから前記液体カートリッジを外す際の手掛け用の凹部を備え、前記手掛け用の凹部の少なくとも一部と、前記ケーブル保持手段の少なくとも一部とが、前記媒体搬送方向でオーバーラップする、ことを特徴とする。
【００２０】
本態様によれば、前記キャリッジから前記液体カートリッジを外す際の手掛け用の凹部の少なくとも一部と、前記ケーブル保持手段の少なくとも一部とが、媒体搬送方向でオーバーラップするので、記録装置における媒体搬送方向の寸法を抑制することができる。
【００２１】
本発明の第７の態様に係る記録装置は、第１の態様から第６の態様のいずれかにおいて、前記スリット部が、前記下部ハウジングの内壁から突出する第１の立壁部と、前記第１の立壁部との間で前記フレキシブルフラットケーブルを挟む第２の立壁部と、を備えている、ことを特徴とする。
【００２２】
本態様によれば、前記スリット部が前記下部ハウジングの内壁から突出する第１の立壁部を備えているので、当該スリット部においても前記フレキシブルフラットケーブルを前記内壁から離間させることができる。また、前記凸部において離間する前記ＦＦＣとの間の屈曲を少なくすることができる。
【図面の簡単な説明】
【００２３】
【図１】本発明に係るプリンターの外観を表す斜視図。
【図２】本発明に係るプリンターの要部を表す斜視図。
【図３】本発明に係るプリンターにおける媒体搬送経路を示す図。
【図４】下部ハウジングに収容された装置本体を表す斜視図。
【図５】下部ハウジングに収容された装置本体の要部拡大斜視図。
【図６】上部ハウジングを表す斜視図。
【図７】ケーブル保持手段の要部斜視断面図。
【図８】ケーブル保持手段の要部断面図。
【図９】本発明に係るプリンターの要部平面図。
【図１０】ケーブル保持手段を構成するスリット部の要部拡大斜視図。
【図１１】ケーブル保持手段に幅狭のフレキシブルフラットケーブルを取り付けた状態を示す図。
【図１２】ケーブル保持手段に幅広のフレキシブルフラットケーブルを取り付けた状態を示す図。
【発明を実施するための形態】
【００２４】
［実施例１］
まず、本発明の一実施例に係る記録装置の概略について説明する。本実施例の記録装置の一例として、インクジェット式プリンター１（以下、単にプリンター１という）を例に挙げる。  
図１は、本発明に係るプリンターの外観を表す斜視図である。図２は、本発明に係るプリンターの要部を表す斜視図である。図３は、本発明に係るプリンターにおける媒体搬送経路を示す図である。図４は、下部ハウジングに収容された装置本体を表す斜視図である。図５は、下部ハウジングに収容された装置本体の要部拡大斜視図である。図６は、上部ハウジングを表す斜視図である。図７は、ケーブル保持手段の要部斜視断面図である。図８は、ケーブル保持手段の要部断面図である。図９は、本発明に係るプリンターの要部平面図である。図１０は、ケーブル保持手段を構成するスリット部の要部拡大斜視図である。図１１は、ケーブル保持手段に幅狭のフレキシブルフラットケーブルを取り付けた状態を示す図である。図１２は、ケーブル保持手段に幅広のフレキシブルフラットケーブルを取り付けた状態を示す図である。
【００２５】
尚、各図において示すＸ−Ｙ−Ｚ座標系は、Ｘ方向が記録ヘッドの走査方向であり、記録が行われる媒体の幅方向である。Ｙ方向が装置奥行き方向であり、媒体の長さ方向である。Ｚ方向は重力方向であり、装置高さ方向である。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、以下において、プリンター１において記録用紙が搬送されていく搬送方向を「下流」といい、これと反対の方向を「上流」という。
【００２６】
＜プリンターの概要＞
プリンター１（図１）は、媒体としての記録用紙に記録を行うプリンターユニット２と、原稿の画像を読み取るスキャナーユニット３とを備える複合機として構成されている。スキャナーユニット３は、プリンターユニット２の上部に設けられている。  
尚、本明細書において記録用紙とは、一例として普通紙や厚紙、写真用紙等の用紙を指している。
【００２７】
プリンターユニット２内に設けられる記録ヘッド１０（図３）による記録後の記録用紙は、装置前面に設けられる排出口４から出て、排紙トレイ５に載置される。尚、プリンターユニット２内における記録用紙の搬送経路については後で説明する。  
装置前面において符号６は、電源ボタンや各種印刷設定・記録実行を行う操作ボタン、印刷設定内容や印刷画像のプレビュー表示などを行う表示部、等を備えて成る操作パネルである。
【００２８】
プリンターユニット２（図２）は、記録を行う装置本体７と、装置本体７を収容する下部ハウジング８と、下部ハウジング８の上部に設けられる上部ハウジング９とによって構成されている。  
下部ハウジング８は、図４に示すように上部が開口しており、装置本体７を収容可能に構成されている。  
また上部ハウジング９は、下部ハウジング８の上部の前記開口を塞ぐ蓋であり、下部ハウジング８に対して差し込み式に構成されている（図６も参照）。尚、上部ハウジング９の上面９ａ（図２）は、前述したスキャナーユニット３（図１）の載置面でもある。
【００２９】
＜用紙搬送経路について＞
続いて、図３を参照して、プリンターユニット２の装置本体７における記録用紙の搬送経路について説明する。尚、図３において、点線Ｐは記録用紙の搬送経路である。  
装置本体７は、底部に複数の記録用紙（用紙束Ｐ１）を収容する用紙トレイ１１を備え、用紙トレイ１１から記録用紙が１枚ずつ給送される。  
記録用紙は、用紙トレイ１１から給送ローラー１２（ピックアップローラーとも言う）により一旦装置背面側（−Ｙ方向）に送られ、中間ローラー１３によって湾曲されて装置前面側（＋Ｙ方向）に送られるようになっている。尚、給送ローラー１２は、揺動軸１２ａを軸として揺動可能に構成され、用紙トレイ１１に収容される用紙束Ｐ１の一番上の記録用紙に接触するように構成されている。
【００３０】
記録ヘッド１０の用紙搬送方向上流側（装置背面側、−Ｙ方向）には、図示しないモーターによって回転駆動される搬送駆動ローラー１４と、該搬送駆動ローラー１４に接して従動回転する搬送従動ローラー１５とが設けられており、記録用紙が記録ヘッド１０の下へと送られる。
【００３１】
記録ヘッド１０は、記録用紙の搬送方向（Ｙ軸方向）と交差するＸ軸方向に移動可能に保持されるキャリッジ１６に搭載されており、記録ヘッド１０と対向する領域に送られる記録用紙に対してインクを吐出することにより記録が行われるように構成されている。またキャリッジ１６には、記録ヘッド１０にインクを供給するインクカートリッジ１９（液体カートリッジ）が搭載されている。  
記録ヘッド１０の用紙搬送方向下流側（装置前面側、＋Ｙ方向）には、図示しないモーターによって回転駆動される排出駆動ローラー１７と、当該排出駆動ローラー１７に接して従動回転する排出従動ローラー１８とが設けられており、記録後の記録用紙は、装置前面側に設けられる排紙トレイ５に排出される。
【００３２】
＜装置本体について＞
装置本体７の構成について更に説明する。装置本体７（図４）は、装置奥行方向（Ｙ軸方向）のほぼ中央部に、記録ヘッド１０（キャリッジ１６）の移動方向（Ｘ軸方向）に延設されるメインフレーム２０を備えている。メインフレーム２０には、キャリッジ１６を移動するための移動機構（不図示）が設けられている。符号２１は、キャリッジ１６の移動機構の動力源としてのモーターである。
【００３３】
また、メインフレーム２０の両側には、記録ヘッド１０の移動方向と交差する方向（Ｙ軸方向）に延設されるとともにフレーム面が鉛直方向に沿う一対のサイドフレーム２２が設けられる。尚、図４においては、装置内部を見易くするため、装置背面側から見て左側（＋Ｘ側）のサイドフレームが省略されており、右側（−Ｘ側）のサイドフレーム２２のみが表されている。
【００３４】
右側のサイドフレーム２２の外側（−Ｘ側）には、記録ヘッド１０を含む各種構成部材の制御を行う制御部としてのメイン基板２３（図５）が設けられている。  
また記録ヘッド１０には、記録ヘッド１０の動作を制御する基板（図示せず）が設けられており、記録ヘッド１０側の基板とメイン基板２３とはフレキシブルフラットケーブル２４（以下、ＦＦＣ２４という場合がある）によって接続されている。ＦＦＣ２４を介してメイン基板２３から記録ヘッド１０側の基板に対して制御信号が出力される。  
尚、記録ヘッド１０は移動するキャリッジ１６に搭載されるので、ＦＦＣ２４の記録ヘッド１０側の端部２９ａ（図４）はキャリッジ１６の＋Ｘ方向側の側面１６ａに固定されている。図５の符号２９ｂは、ＦＦＣ２４のメイン基板２３側の端部である。
【００３５】
ＦＦＣ２４は、メイン基板２３とキャリッジ１６（記録ヘッド１０）との間、すなわち、端部２９ａと端部２９ｂの間において、図４及び図５に示すように、下部ハウジング８の内壁に対し、鉛直方向と交差する方向に延伸した状態でケーブル保持手段２５により保持されている。  
以下において、ＦＦＣ２４を下部ハウジング８の内壁に保持するケーブル保持手段２５について説明する。
【００３６】
＜ケーブル保持手段について＞
ケーブル保持手段２５は、下部ハウジング８の前面側（＋Ｙ側）の内壁８ａ（図４、図５）に設けられるスリット部２６及び凸部２７と、上部ハウジングに設けられる規制部２８によって構成されている。  
まず、下部ハウジング８の内壁８ａ（図４、図５）には、鉛直方向（Ｚ軸方向）と交差する方向（Ｘ軸方向）に間隔を開けて複数のスリット部２６が設けられている。スリット部２６は、ＦＦＣ２４を挟んで保持する凹部形状をしており、ＦＦＣ２４の延伸方向（Ｘ軸方向）と交差する方向（Ｚ軸方向）に延びている。本実施例においては複数のスリット部２６として、６つのスリット部２６ａ、２６ｂ、２６ｃ、２６ｄ、２６ｅ、２６ｆ（図５）が設けられている。  
【００３７】
続いて、ケーブル保持手段２５を構成する凸部２７が、少なくとも２つのスリット部２６の間に設けられている。本実施例では、スリット部２６ｂとスリット部２６ｃの間と、スリット部２６ｄとスリット部２６ｅの間に凸部２７が設けられている。    凸部２７は、図１１に示すように、スリット部２６によって内壁８ａに沿って保持されるＦＦＣ２４の一部を内壁８ａの壁面から離間させる様に内壁８ａから突出している。  
【００３８】
更に、上部ハウジング９には規制部２８（図６）が設けられている。規制部２８は、上部ハウジング９を下部ハウジング８に取り付けた際に（図７及び図８）、スリット部２６に保持されるＦＦＣ２４の上方への移動を規制する役割を担う。  
本実施例において、規制部２８は、Ｘ軸方向において凸部２７に対応する位置に設けられている（図９及び図１１を参照）。
【００３９】
このような、下部ハウジング８側に設けられるスリット部２６及び凸部２７と、上部ハウジング側に設けられる規制部２８により構成されるケーブル保持手段２５を備えることにより、以下の作用効果が得られる。すなわち、ケーブル保持手段２５は、ＦＦＣ２４を、下部ハウジング８の内壁８ａにおいて鉛直方向と交差する方向（ＦＦＣ２４の延伸方向）に間隔を開けて複数設けられるスリット部２６によって保持し、上部ハウジング２９に設けられる規制部２８によってスリット部２６に保持されるＦＦＣ２４の上方への移動を規制するように構成されているので、ケーブル保持手段２５へのＦＦＣ２４の容易な取り付けと、取り付け後のＦＦＣ２４がケーブル保持手段２５から外れ難くすることの両方を実現することができる。
【００４０】
また、例えばＦＦＣ２４が下部ハウジング８の内壁８ａに対して隙間なく沿った状態であると、ＦＦＣ２４が上方に移動した際に内壁８ａと規制部２８との間に入り込む虞があるが、２つのスリット部２６（スリット部２６ｂとスリット部２６ｃ、或いは、スリット部２６ｄとスリット部２６ｅ）の間に設けられる凸部２７よって、保持されるＦＦＣ２４の一部を内壁８ａの壁面から離間させるので、規制部２８がＦＦＣ２４の幅方向の端部により確実に当接する構成とすることができる。
【００４１】
スリット部２６及び凸部２７は、下部ハウジング８に一体に形成されている。例えば樹脂材料等による一体成型により、スリット部２６及び凸部２７を一体に設けた下部ハウジング８を形成することができる。このことにより、プリンター１における部品点数を減らし、コストを低減することができる。  
勿論、下部ハウジング８とは別個のスリット部２６及び凸部２７を下部ハウジング８の壁面に設けることも可能である。その際、別個のスリット部２６及び凸部２７は、樹脂材料等のＦＦＣ２４を傷つけにくい材料で形成することが望ましい。このことにより、ケーブル保持手段２５とＦＦＣ２４との接触によりＦＦＣ２４が傷つく虞を低減することができる。
【００４２】
尚、本実施例において、凸部２７は、スリット部２６ｂとスリット部２６ｃとの間と、スリット部２６ｄとスリット部２６ｅとの間に、それぞれ２つずつ設けられているが、１つ或いは３つ以上であってもよい。  
また本実施例では、図１１に示すように、凸部２７の位置に対応する位置に設けられている規制部２８が２つずつあり、その２つの規制部２８がＦＦＣ２４の延伸方向において凸部２７を挟むように配置されている。  
このように規制部２８を配置すると、バランスよくＦＦＣ２４の上方への移動を規制することができるので望ましいが、例えば、１つの規制部２８によってＦＦＣ２４を押さえる構成とすることも可能である。
【００４３】
続いて、ケーブル保持手段２５における他の構成について説明する。  
本実施例において、ケーブル保持手段２５の複数のスリット部２６は、２種類の深さのスリット深さ、すなわち、深さが浅いスリットと深いスリットとで構成されている。  
具体的には、複数のスリット部２６（図１０を参照）が、スリット深さが浅い第１のスリット部３０（＝深さｄ１）と、第１のスリット部３０よりもスリット深さが深い第２のスリット部３１（＝深さｄ２＞ｄ１）とによって構成されており、スリット部２６ｂ、２６ｃ、２６ｅが浅い第１のスリット部３０であり、スリット部２６ａ、２６ｄ、２６ｆが深い第２のスリット部３１である。
【００４４】
ここで、ＦＦＣ２４は、前述したように記録ヘッド１０とメイン基板２３とを接続するケーブルであり、記録ヘッド１０とメイン基板２３との間で各種情報を送受信するように構成されている。ＦＦＣ２４の幅は、送受信される前記情報量に応じて増減し、前記情報量が増えると幅は広くなる。例えば、記録ヘッド１０に設けられるノズル数や、インクの色の種類の数等が増えると情報量も増加し、ＦＦＣ２４の幅は広くなる。
【００４５】
複数のスリット部２６が、第１のスリット部３０と、第１のスリット部３０よりも深い第２のスリット部３１と、を備えて構成されていることにより、ケーブルの幅が第１のスリット部３０の深さｄ１に対応する幅であるＦＦＣ２４ａ（図１１）と、第２のスリット部３１の深さｄ２に対応する幅であるＦＦＣ２４ｂ（図１２）の両方に対応することができる。  
図１１に示すように、幅狭のＦＦＣ２４ａは、第１のスリット部３０と第２のスリット部３１の両方、すなわちすべてのスリット部２６に差し込まれて保持することができる。  
一方、幅広のＦＦＣ２４ｂは、深い第２のスリット部３１にのみ差し込まれ、第１のスリット部３０の外側を通るようにして保持される。このとき、第１のスリット部３０によってもＦＦＣ２４ｂを内壁８ａから離間させることができる。
【００４６】
以上のように、深さの異なる第１のスリット部３０と第２のスリット部３１を備えることにより、記録ヘッドの仕様の違い等のため、用いられるＦＦＣ２４の幅が異なる（例えばＦＦＣ２４ａとＦＦＣ２４ｂ）プリンターにおいて、下部ハウジング８を共通化することができる。以って、各プリンターの製造コストを低減することができる。
【００４７】
また、本実施例において、キャリッジ１６のホームポジション（図９において仮想線で示すキャリッジ１６の位置）は、メイン基板２３に近い側、すなわち、−Ｘ側に位置している。ＦＦＣ２４は端部２９ａがキャリッジ１６に接続され、キャリッジ１６の移動動作に伴ってケーブル保持手段２５とキャリッジ１６との間で変形可能に設けられている。  
より具体的には、複数のスリット部２６のうち、ホームポジションから最も離れた位置（＋Ｘ側）に位置するスリット部２６ａがＦＦＣ２４の変形の起点となっている（図９）。
【００４８】
複数のスリット部２６が、スリット深さが浅い第１のスリット部３０と深い第２のスリット部３１で構成される場合、ＦＦＣ２４の変形の起点となるスリット部２６ａは深い第２のスリット部３１であることが望ましい。  
このことによって、キャリッジ１６とメイン基板２３を接続するＦＦＣ２４が幅狭のＦＦＣ２４ａと幅広のＦＦＣ２４ｂのいずれであっても、その変形の起点を同じにすることができる。
【００４９】
また、本実施例では、複数のスリット部２６のうち、−Ｘ側の端に設けられるスリット部２６ｆも深い第２のスリット部３１として構成されている。ＦＦＣ２４ｂは、図４に示すようにスリット部２６ｆよりも−Ｘ側において、サイドフレーム２２に沿うように折り曲げられる。スリット部２６ｆを第２のスリット部３１とすることにより、キャリッジ１６とメイン基板２３を接続するＦＦＣ２４が幅狭のＦＦＣ２４ａと幅広のＦＦＣ２４ｂのいずれであっても、ＦＦＣ２４ｂが曲げられる起点を同じにすることができる。
【００５０】
また、本実施例において、スリット部２６（図１０）は、下部ハウジング８の内壁８ａから突出する第１の立壁部３２と、第１の立壁部３２との間でＦＦＣ２４を挟む第２の立壁部３３と、を備えて構成さている。  
スリット部２６が内壁８ａから突出する第１の立壁部３２を備えることにより、スリット部２６においてもＦＦＣ２４を内壁８ａから離間させることができる。また、凸部２７において離間するＦＦＣ２４との間の屈曲を少なくすることができる。  
尚、スリット部２６は、第１の立壁部３２がなく、内壁８ａと第２の立壁部３３との間でＦＦＣ２４を挟む構成とすることも可能である。
【００５１】
続いて、ケーブル保持手段２５における更に他の構成について説明する。  
前述したように、キャリッジ１６には記録ヘッド１０にインクを供給するインクカートリッジ１９が搭載されており、インクカートリッジ１９はユーザーによって交換可能に構成されている。  
上部ハウジング９には、キャリッジ１６からインクカートリッジ１９を外す際の手掛け用の凹部３４（図２及び図９を参照）が設けられている。  
インクカートリッジ１９の交換時には、キャリッジ１６を凹部３４に対応する位置（図９において実線で示すキャリッジ１６の位置）まで移動させる。キャリッジ１６がこの位置にあると、ユーザーが凹部３４に手を差し込んでインクカートリッジ１９に手を掛けることができるので、インクカートリッジ１９の着脱を容易に行うことができる。
【００５２】
ここで、手掛け用の凹部３４の少なくとも一部は、ケーブル保持手段２５の少なくとも一部と、媒体搬送方向（Ｙ軸方向）でオーバーラップするように設けられている（図９を参照）。言い換えると、凹部３４の少なくとも一部と、ケーブル保持手段２５の少なくとも一部とが、媒体搬送方向（Ｙ軸方向）において同じ位置にある。  
このことによって、プリンター１における装置奥行方向の寸法を抑制することができる。
【００５３】
尚、本発明は上記実施例に限定されることなく、特許請求の範囲に記載した発明の範囲内で種々の変形が可能であり、それらも本発明の範囲内に含まれるものであることは言うまでもない。
【符号の説明】
【００５４】
１…プリンター（記録装置）、２…プリンターユニット、３…スキャナーユニット、
４…排出口、５…排紙トレイ、６…操作パネル、７…装置本体、
８…下部ハウジング、９…上部ハウジング、１０…記録ヘッド、
１１…用紙トレイ、１２…給送ローラー、１３…中間ローラー、
１４…搬送駆動ローラー、１５…搬送従動ローラー、１６…キャリッジ、
１７…排出駆動ローラー、１８…排出従動ローラー、
１９…インクカートリッジ（液体カートリッジ）、２０…メインフレーム、
２１…モーター、２２…サイドフレーム、２３…メイン基板、
２４…フレキシブルフラットケーブル（ＦＦＣ）、２５…ケーブル保持手段、
２６…スリット部、２７…凸部、２８…規制部、２９ａ、２９ｂ…端部、
３０…第１のスリット部、３１…第２のスリット部、３２…第１の立壁部、
３３…第２の立壁部、３４…凹部、
Ｐ１…用紙束、Ｐ…記録用紙（媒体）の搬送経路
【図１】
2017154400.tif 000003
【図２】
2017154400.tif 000004
【図３】
2017154400.tif 000005
【図４】
2017154400.tif 000006
【図５】
2017154400.tif 000007
【図６】
2017154400.tif 000008
【図７】
2017154400.tif 000009
【図８】
2017154400.tif 000010
【図９】
2017154400.tif 000011
【図１０】
2017154400.tif 000012
【図１１】
2017154400.tif 000013
【図１２】
2017154400.tif 000014